(57)【特許請求の範囲】
【請求項１】
燃焼バーナを配置した燃焼室と、該燃焼室の上方に位置し内部に燃焼ガスが通過する煙管を配置した貯湯室と、該貯湯室の上方に配置し熱交換パイプを備えた副熱交換器部と、前記貯湯室内上方に配置された風呂用熱交換器とを設け、前記熱交換パイプの上流側と給水管とを接続し、貯湯室内下方に循環用熱交換器を配置し、熱交換パイプの下流側と循環用熱交換器の上流側とを接続管にて接続し、循環用熱交換器の下流側と給水管とを循環戻り管にて接続し、該循環戻り管には循環ポンプと逆止弁とを設け、前記接続管と貯湯室底部とを接続分岐管にて接続し、該接続分岐管に減圧逆止弁を設け、給湯運転時には、給水管からの給水が熱交換パイプ、接続管、接続分岐管、貯湯室を通り、該貯湯室上部の給湯管から給湯される給湯装置に於いて、前記循環ポンプは、給湯運転時は停止し、風呂の単独の追い焚き運転時に駆動させて、熱交換パイプ内の給水を循環用熱交換器に循環させることで、冷却するようにしたことを特徴とする給湯装置。
【発明の詳細な説明】
【技術分野】
【０００１】
この発明は、排気ガスの潜熱を回収して効率の向上を図った給湯装置に関するものである。
【背景技術】
【０００２】
従来からこの種のものに於いては、例えば水道水の水圧をそのまま利用して給湯する直圧式の給湯装置では、バーナユニットの上方に主熱交換部を設け、その主熱交換部の下流、つまり上部に排気ガスの潜熱を回収する副熱交換部と、排気ガスが通流する排気流路を設け、副熱交換部上流側の排気流路に消音部を設けたものがある。（例えば、特許文献１）
【先行技術文献】
【特許文献】
【０００３】
【特許文献１】特開２００８−２７００号公報
【発明の概要】
【発明が解決しようとする課題】
【０００４】
ところでこの従来のものでは、直圧式のため給湯運転では燃焼室で燃焼により発生した燃焼ガスと、副熱交換部を通過した水道水とを主熱交換部で熱交換することで水道水を加熱し、加熱した温水を給湯管より給湯すると共に、主熱交換部で熱交換した燃焼ガスは副熱交換部を通過して副熱交換部を通過する水道水と熱交換した後、排気されるものである。
そのため、給湯運転中は常に副熱交換部を水道水が通過するので、副熱交換部内の二次熱交パイプが高温に過熱されることはなかった。
【０００５】
しかし、貯湯式の給湯装置で風呂回路の追い焚き用熱交換器を貯湯部内に配置したものでは、風呂の追い焚き運転では、燃焼室で燃焼により発生した燃焼ガスは、貯湯部内に配置した追い焚き用熱交換器と熱交換した後、副熱交換部を通過して排気される。
この時、副熱交換部の二次熱交パイプ内の水道水は流れずに二次熱交パイプ内にとどまっているため、二次熱交パイプ内の水道水が燃焼ガスにより過熱されて高温になり、二次熱交パイプ内の水道水が沸騰して二次熱交パイプを損傷したり、又  二次熱交パイプ内に水道水のカルキが析出して二次熱交パイプを詰まらせたりする問題があった。
【課題を解決するための手段】
【０００６】
この発明はこの点に着目し上記課題を解決する為、特にその構成を、燃焼バーナを配置した燃焼室と、該燃焼室の上方に位置し内部に燃焼ガスが通過する煙管を配置した貯湯室と、該貯湯室の上方に配置し熱交換パイプを備えた副熱交換器部と、前記貯湯室内上方に配置された風呂用熱交換器とを設け、前記熱交換パイプの上流側と給水管とを接続し、貯湯室内下方に循環用熱交換器を配置し、熱交換パイプの下流側と循環用熱交換器の上流側とを接続管にて接続し、循環用熱交換器の下流側と給水管とを循環戻り管にて接続し、該循環戻り管には循環ポンプと逆止弁とを設け、前記接続管と貯湯室底部とを接続分岐管にて接続し、該接続分岐管に減圧逆止弁を設け、給湯運転時には、給水管からの給水が熱交換パイプ、接続管、接続分岐管、貯湯室を通り、該貯湯室上部の給湯管から給湯される給湯装置に於いて、前記循環ポンプは、給湯運転時は停止し、風呂の単独の追い焚き運転時に駆動させて、熱交換パイプ内の給水を循環用熱交換器に循環させることで、冷却するようにしたものである。
【発明の効果】
【０００９】
この発明の請求項１によれば、燃焼バーナを配置した燃焼室と、該燃焼室の上方に位置し内部に燃焼ガスが通過する煙管を配置した貯湯室と、該貯湯室の上方に配置し熱交換パイプを備えた副熱交換器部と、前記貯湯室内上方に配置された風呂用熱交換器とを設け、前記熱交換パイプの上流側と給水管とを接続し、貯湯室内下方に循環用熱交換器を配置し、熱交換パイプの下流側と循環用熱交換器の上流側とを接続管にて接続し、循環用熱交換器の下流側と給水管とを循環戻り管にて接続し、該循環戻り管には循環ポンプと逆止弁とを設け、前記接続管と貯湯室底部とを接続分岐管にて接続し、該接続分岐管に減圧逆止弁を設け、給湯運転時には、給水管からの給水が熱交換パイプ、接続管、接続分岐管、貯湯室を通り、該貯湯室上部の給湯管から給湯される給湯装置に於いて、前記循環ポンプは、給湯運転時は停止し、風呂の単独の追い焚き運転時に駆動させて、熱交換パイプ内の給水を循環用熱交換器に循環させることで、冷却するようにしたものであるから、副熱交換器部内の熱交換パイプ内の水道水を循環用熱交換器で熱交換することができるので、燃焼室で発生した燃焼ガスにより副熱交換器部内の熱交換パイプが過熱されて熱交換パイプ内の水道水が沸騰したり、熱交換パイプ内にカルキが析出して熱交換パイプを詰まるのを防止できるものである。
【図面の簡単な説明】
【００１２】
【図１】この発明の一実施形態を示す給湯装置の概略図。
【発明を実施するための形態】
【００１３】
次に、本発明に係る発明の１実施形態を図面に基づいて説明する。
１は内方下部に筒状の内缶２を備えた外缶で、前記内缶２との間には湯水を貯湯する貯湯室３が形成すると共に、内缶２内をガンタイプ式の燃焼バーナ４が臨む燃焼室５としたものである。
【００１４】
６は内缶２内の燃焼室５と外缶１上部の副熱交換器部７とを貯湯室３を貫通して結んだ複数の煙管で、内方には排ガスの流通を遅らせて湯水との熱交換効率を向上させる為のバッフル板８がそれぞれ備えられている。
【００１５】
９は貯湯室３内で煙管６の外周に巻回して備えられた風呂用熱交換器で、浴槽１０とは風呂往き管１１と風呂サーミスタ１２や風呂ポンプ１３を備えた風呂戻り管１４を介して連通し、風呂ポンプ１３の駆動で浴槽水を風呂用熱交換器９に流通させることで、貯湯室３内の湯水と熱交換して加熱されて、風呂往き管１１を介して浴槽１０に戻され、順次この循環を行い風呂を沸き上げるものである。
【００１６】
１５は副熱交換器部７内に配置された熱交換パイプで、上流側には給水管１６が接続され、下流側には貯湯室３の下部に配置された循環用熱交換器１７の上流側と接続管１８にて接続されている。
【００１７】
１９は一端が接続管１８と連通し、他端が貯湯室３の底部付近に接続された接続分岐管で、管の途中に減圧逆止弁２０を備えたものである。
【００１８】
２１は一端が熱交換パイプ１５と給水管１６の接続部分に接続され、他端が循環用熱交換器１７の下流側と接続されている循環戻り管で、熱交換パイプ１５と給水管１６の接続部分側に逆止弁２２を設けると共に、循環用熱交換器１７の下流側との接続部分側に循環ポンプ２３を設けたものである。
【００１９】
２４は一端が貯湯室３の上部に接続された給湯管で、蛇口（図示せず）の開口による流水を検知して熱要求有りを指示するフローセンサ２５を備えたものである。
２６は外缶１上部外周に備えられた缶体サーミスタで、貯湯温度を検知して所定温度に保持するように燃焼バーナ４の燃焼を制御するものである。
【００２０】
２７は燃焼バーナ４の噴霧ノズルで、先端には点火棒２８が設けられ、後端には送油管２９が接続し電磁ボンプ３０が連通されている。
３１は排気部で、副熱交換器部７内を通過した排気ガスを消音して装置外に排気するものである。
【００２１】
次にこの一実施形態の給湯運転の作動について説明する。
まず給湯運転は、蛇口の開口による流水をフローセンサ２５が検知すると、燃焼バーナ４が燃焼を開始すると共に、水道水が給水管１６から副熱交換器部７内の熱交換パイプ１５を通過して排気ガスと熱交換した後、接続管１８から接続分岐管１９を通過して貯湯室３の底部に流入する。
そしてた缶体サーミスタ２６により貯湯温度を検知して所定温度に保持するように燃焼バーナ４の燃焼を制御しながら給湯運転を継続するものである。
【００２２】
この時、貯湯室３の底部に流入する水道水は、副熱交換器部７内の熱交換パイプ１５を通過する時排気ガスと熱交換して加熱されるので、その分燃焼バーナ４の燃焼を抑えることができるものである。
【００２３】
次にこの一実施形態の風呂の沸き上げ運転の作動について説明する。
まず、リモコン（図示せず）の沸き上げスイッチ（図示せず）がＯＮされると、燃焼バーナ４が燃焼を開始すると共に、風呂ポンプ１３も同時に駆動され、浴槽１０内の浴槽水が、風呂戻り管１４から貯湯室３内の風呂用熱交換器９を通過して貯湯室３内の高温水と熱交換して加熱され、風呂往き管１１を通って浴槽１０内に戻り、風呂サーミスタ１２が検知する温度が設定温度に達すると、風呂の沸き上げが完了したと判断して、燃焼バーナ４及び風呂ポンプ１３を停止するものである。
【００２４】
この時、貯湯室３内には水道水が流入しないので、副熱交換器部７の熱交換パイプ１５内の水道水が熱交換パイプ１５内に留まってしまうため、風呂の沸き上げ運転で燃焼バーナ４が燃焼を開始すると同時に循環ポンプ２３を駆動する。
【００２５】
これにより副熱交換器部７の熱交換パイプ１５内で加熱された水道水は、接続管１８から循環用熱交換器１７を通過して循環戻り管２１からまた熱交換パイプ１５に戻るというように熱交換パイプ１５内の水道水を循環させるもので、貯湯室３内の底部付近の貯湯水は温度が低いため、副熱交換器部７の熱交換パイプ１５内で加熱された水道水は循環用熱交換器１７を通過する時、貯湯室３内の底部付近の貯湯水と熱交換して温度が低下して冷却されて熱交換パイプ１５に戻るものである。
【００２６】
それにより風呂の沸き上げ運転で副熱交換器部７の熱交換パイプ１５内の水道水が過熱されて沸騰したり、水道水のカルキが析出して熱交換パイプ１５を詰まるのを防止できるものである。
【００２７】
又、冬期に於いて、給水温度センサ（図示せず）や外気温度温度センサ（図示せず）が検知する温度が所定温度以下になった時、循環ポンプ２３を駆動することにより、副熱交換器部７の熱交換パイプ１５内凍結を防止することができるものである。
【符号の説明】
【００２８】
３  貯湯室
４  燃焼バーナ
５  燃焼室
６  煙管
７  副熱交換器部
９  風呂用熱交換器
１５  熱交換パイプ
１６  給水管貯湯室
１７  循環用熱交換器
１８  接続管
２１  循環戻り管
２２  逆止弁
２３  循環ポンプ
【図１】
0005600562.tif 000002